(57)【特許請求の範囲】
【請求項１】
透析液を透析器に供給する透析液回路と、該透析液回路に接続されて透析液を濾過する濾過器とを備えた人工透析装置であって、
上記濾過器は、長手方向を上下に配置されて内部に濾過材を収容した筒状のハウジングと、該ハウジングの下部に設けられて内部に透析液を導入する導入口と、該導入口から導入された透析液のうち上記濾過材を通過した濾過透析液を上記ハウジングの上部から導出する濾過液導出口と、上記導入口から導入された透析液のうち上記濾過材を通過しない未濾過液を上記ハウジングの上部から導出する未濾過液導出口とを備え、
また上記透析液回路は、上記濾過器の導入口に接続されて上記ハウジング内に透析液を流入させる上流側通路と、上記濾過器の濾過液導出口に接続されて上記ハウジング内から濾過透析液を流出させる下流側通路と、上記未濾過液導出口に接続されて上記ハウジング内から未濾過液を排液させる排液通路とを備えた人工透析装置において、
上記透析液回路に、上記上流側通路を介して上記ハウジング内の液体を吸引可能な液体吸引手段と、上記排液通路と下流側通路との少なくともいずれか一方を介して上記ハウジング内に気体を流入させる気体流入手段とを設け、
上記濾過器を上記上流側通路、下流側通路および排液通路から切り離して透析液回路から取り外す際は、上記気体流入手段を開放するとともに上記液体吸引手段により上記ハウジング内の液体を吸引させてハウジング内の液体を外部に排出させることを特徴とする人工透析装置。
【請求項２】
透析液を透析器に供給する透析液回路と、該透析液回路に接続されて透析液を濾過する濾過器とを備えた人工透析装置であって、
上記濾過器は、長手方向を上下に配置されて内部に濾過材を収容した筒状のハウジングと、該ハウジングの下部に設けられて内部に透析液を導入する導入口と、該導入口から導入された透析液のうち上記濾過材を通過した濾過透析液を上記ハウジングの上部から導出する濾過液導出口と、上記導入口から導入された透析液のうち上記濾過材を通過しない未濾過液を上記ハウジングの上部から導出する未濾過液導出口とを備え、
また上記透析液回路は、上記濾過器の導入口に接続されて上記ハウジング内に透析液を流入させる上流側通路と、上記濾過器の濾過液導出口に接続されて上記ハウジング内から濾過透析液を流出させる下流側通路と、上記未濾過液導出口に接続されて上記ハウジング内から未濾過液を排液させる排液通路とを備えた人工透析装置において、
上記透析液回路に、上記下流側通路を介して上記ハウジング内の液体を吸引可能な液体吸引手段と、上記上流側通路と上記排液通路との少なくともいずれか一方を介して上記ハウジング内に気体を流入させる気体流入手段とを設け、
上記濾過器を上記上流側通路、下流側通路および排液通路から切り離して透析液回路から取り外す際は、上記気体流入手段を開放するとともに上記液体吸引手段により上記ハウジング内の液体を吸引させてハウジング内の液体を外部に排出させることを特徴とする人工透析装置。
【請求項３】
透析液を透析器に供給する透析液回路と、該透析液回路に接続されて透析液を濾過する濾過器とを備えた人工透析装置であって、
上記濾過器は、長手方向を上下に配置されて内部に濾過材を収容した筒状のハウジングと、該ハウジングの下部に設けられて内部に透析液を導入する導入口と、該導入口から導入された透析液のうち上記濾過材を通過した濾過透析液を上記ハウジングの上部から導出する濾過液導出口と、上記導入口から導入された透析液のうち上記濾過材を通過しない未濾過液を上記ハウジングの上部から導出する未濾過液導出口とを備え、
また上記透析液回路は、上記濾過器の導入口に接続されて上記ハウジング内に透析液を流入させる上流側通路と、上記濾過器の濾過液導出口に接続されて上記ハウジング内から濾過透析液を流出させる下流側通路と、上記未濾過液導出口に接続されて上記ハウジング内から未濾過液を排液させる排液通路とを備えた人工透析装置において、
上記透析液回路に、上記排液通路を介して上記ハウジング内の液体を吸引可能な液体吸引手段と、上記下流側通路を介して上記ハウジング内に気体を流入させる気体流入手段とを設け、
上記濾過器を上記上流側通路、下流側通路および排液通路から切り離して透析液回路から取り外す際は、上記気体流入手段を開放するとともに上記液体吸引手段により上記ハウジング内の液体を吸引させてハウジング内の液体を外部に排出させることを特徴とする人工透析装置。
【発明の詳細な説明】
【技術分野】
【０００１】
本発明は人工透析装置に関し、より詳しくは、透析液を濾過する濾過器を備えた人工透析装置に関する。
【背景技術】
【０００２】
人工透析装置は透析器を介して血液中から老廃物を除去するために用いられる装置であって、通常は上記透析器の上流側の透析液回路に、透析液を清浄化（エンドトキシンの除去）するために濾過器を設けてある。また、透析液を血液回路に送って生理食塩液の代わりに使用するオンライン治療においては、十分な清浄化を確実に実現するために上述した濾過器の下流側に、さらに２段目の濾過器を設けてある（特許文献１）。
上記濾過器は、従来周知のように、長手方向を上下に配置されて内部に濾過材を収容した筒状のハウジングと、該ハウジングの下部に設けられて内部に透析液を導入する導入口と、該導入口から導入された透析液のうち上記濾過材を通過した濾過透析液を上記ハウジングの上部から導出する濾過液導出口と、上記導入口から導入された透析液のうち上記濾過材を通過しない未濾過液を上記ハウジングの上部から導出する未濾過液導出口とを備えている。
そして透析液回路は、上記濾過器の導入口に接続されて上記ハウジング内に透析液を流入させる上流側通路と、上記濾過器の濾過液導出口に接続されて上記ハウジング内から濾過透析液を流出させる下流側通路と、上記未濾過液導出口に接続されて上記ハウジング内から未濾過液を排液させる排液通路とを備えている。
【先行技術文献】
【特許文献】
【０００３】
【特許文献１】特開２０１２−１９１９９２号公報
【発明の概要】
【発明が解決しようとする課題】
【０００４】
上記濾過器は通常半年程度で交換する必要があるが、濾過器の内部には、濾過透析治療の終了直後では透析液が、洗浄後ではすすぎ水が残留している。取り外した濾過器はそのまま廃棄処分することになるが、内部に液が残留した状態ではその分の重量がかさみ、廃棄料金が高くなるという問題がある。
本発明は、上記濾過器を取り外す際に、内部に残留している液体をできるだけ外部に排出させて廃棄重量の削減を図ることができるようにしたものである。
【課題を解決するための手段】
【０００５】
すなわち請求項１の発明は、透析液を透析器に供給する透析液回路と、該透析液回路に接続されて透析液を濾過する濾過器とを備えた人工透析装置であって、
上記濾過器は、長手方向を上下に配置されて内部に濾過材を収容した筒状のハウジングと、該ハウジングの下部に設けられて内部に透析液を導入する導入口と、該導入口から導入された透析液のうち上記濾過材を通過した濾過透析液を上記ハウジングの上部から導出する濾過液導出口と、上記導入口から導入された透析液のうち上記濾過材を通過しない未濾過液を上記ハウジングの上部から導出する未濾過液導出口とを備え、
また上記透析液回路は、上記濾過器の導入口に接続されて上記ハウジング内に透析液を流入させる上流側通路と、上記濾過器の濾過液導出口に接続されて上記ハウジング内から濾過透析液を流出させる下流側通路と、上記未濾過液導出口に接続されて上記ハウジング内から未濾過液を排液させる排液通路とを備えた人工透析装置において、
上記透析液回路に、上記上流側通路を介して上記ハウジング内の液体を吸引可能な液体吸引手段と、上記排液通路と下流側通路との少なくともいずれか一方を介して上記ハウジング内に気体を流入させる気体流入手段とを設け、
上記濾過器を上記上流側通路、下流側通路および排液通路から切り離して透析液回路から取り外す際は、上記気体流入手段を開放するとともに上記液体吸引手段により上記ハウジング内の液体を吸引させてハウジング内の液体を外部に排出させることを特徴とするものである。
また請求項２の発明は、透析液を透析器に供給する透析液回路と、該透析液回路に接続されて透析液を濾過する濾過器とを備えた人工透析装置であって、
上記濾過器は、長手方向を上下に配置されて内部に濾過材を収容した筒状のハウジングと、該ハウジングの下部に設けられて内部に透析液を導入する導入口と、該導入口から導入された透析液のうち上記濾過材を通過した濾過透析液を上記ハウジングの上部から導出する濾過液導出口と、上記導入口から導入された透析液のうち上記濾過材を通過しない未濾過液を上記ハウジングの上部から導出する未濾過液導出口とを備え、
また上記透析液回路は、上記濾過器の導入口に接続されて上記ハウジング内に透析液を流入させる上流側通路と、上記濾過器の濾過液導出口に接続されて上記ハウジング内から濾過透析液を流出させる下流側通路と、上記未濾過液導出口に接続されて上記ハウジング内から未濾過液を排液させる排液通路とを備えた人工透析装置において、
上記透析液回路に、上記下流側通路を介して上記ハウジング内の液体を吸引可能な液体吸引手段と、上記上流側通路と上記廃液通路との少なくともいずれか一方を介して上記ハウジング内に気体を流入させる気体流入手段とを設け、
上記濾過器を上記上流側通路、下流側通路および排液通路から切り離して透析液回路から取り外す際は、上記気体流入手段を開放するとともに上記液体吸引手段により上記ハウジング内の液体を吸引させてハウジング内の液体を外部に排出させることを特徴とするものである。
さらに請求項３の発明は、透析液を透析器に供給する透析液回路と、該透析液回路に接続されて透析液を濾過する濾過器とを備えた人工透析装置であって、
上記濾過器は、長手方向を上下に配置されて内部に濾過材を収容した筒状のハウジングと、該ハウジングの下部に設けられて内部に透析液を導入する導入口と、該導入口から導入された透析液のうち上記濾過材を通過した濾過透析液を上記ハウジングの上部から導出する濾過液導出口と、上記導入口から導入された透析液のうち上記濾過材を通過しない未濾過液を上記ハウジングの上部から導出する未濾過液導出口とを備え、
また上記透析液回路は、上記濾過器の導入口に接続されて上記ハウジング内に透析液を流入させる上流側通路と、上記濾過器の濾過液導出口に接続されて上記ハウジング内から濾過透析液を流出させる下流側通路と、上記未濾過液導出口に接続されて上記ハウジング内から未濾過液を排液させる排液通路とを備えた人工透析装置において、
上記透析液回路に、上記排液通路を介して上記ハウジング内の液体を吸引可能な液体吸引手段と、上記下流側通路を介して上記ハウジング内に気体を流入させる気体流入手段とを設け、
上記濾過器を上記上流側通路、下流側通路および排液通路から切り離して透析液回路から取り外す際は、上記気体流入手段を開放するとともに上記液体吸引手段により上記ハウジング内の液体を吸引させてハウジング内の液体を外部に排出させることを特徴とするものである。
【発明の効果】
【０００６】
上記請求項１〜３の発明のいずれのものにおいても、上記濾過器を上記上流側通路、下流側通路および排液通路から切り離して透析液回路から取り外す際には、上記気体流入手段を開放するとともに上記液体吸引手段により上記ハウジング内の液体を吸引させることによりハウジング内の液体を外部に排出させることができるので、濾過器の内部に残留している液体をできるだけ外部に排出させて廃棄重量の削減を図ることができる。
【図面の簡単な説明】
【０００７】
【図１】本発明の第１実施例を示す回路図。
【図２】第１実施例において、濾過器ＣＦ１を取り外す際の動作を示す回路図。
【図３】第１実施例において、濾過器ＣＦ２を取り外す際の動作を示す回路図。
【図４】本発明の第２実施例を示す回路図。
【発明を実施するための形態】
【０００８】
以下図示実施例について本発明を説明すると、図１は透析治療を行う人工透析装置１の回路を示し、上記人工透析装置１は図示しない制御手段によって制御されるようになっている。
上記人工透析装置１は、拡散、限外ろ過、浸透圧により血液と透析液との間で透析を行う透析器２と、該透析器２に接続された血液回路３と、透析器２に接続された透析液回路４とを備えている。
また本実施例の人工透析装置１は透析液を調製可能となっており、透析液の原液であるＡ液およびＢ液を貯溜するＡ液タンク５ＡおよびＢ液タンク５Ｂを備えている。
【０００９】
上記血液回路３は、患者の血管に接続されて上記透析器２に血液を供給する動脈側通路１１と、透析器２から患者に血液を戻す静脈側通路１２とから構成され、これら通路は可撓性を有する樹脂製のチューブで構成されている。また動脈側通路１１には血液を送液する血液ポンプ１３が設けられている。
【００１０】
上記透析液回路４は、所定量の新鮮な透析液を上記透析器２に供給する透析液供給手段１５と、上記透析器２を通過した使用済み透析液を上記所定量と同量回収する透析液回収手段１６とを備えている。
本実施例では、上記透析液供給手段１５と透析液回収手段１６は２つの同形の第１透析液チャンバ２１と第２透析液チャンバ２２とを備えており、各チャンバ２１、２２内はダイアフラムやピストンなどの隔壁によって、新鮮な透析液を供給するための透析液供給室２１ａ、２２ａと、使用済みの透析液を回収するための透析液回収室２１ｂ、２２ｂとに区画されている。そして上記透析液供給室２１ａ、２２ａは透析液供給手段１５の一部を、透析液回収室２１ｂ、２２ｂは透析液回収手段１６の一部をそれぞれ構成している。
上記２つの透析液チャンバ２１、２２の供給室２１ａ、２２ａと透析器２との間は新鮮な透析液を流通させる透析液供給通路２３で接続してあり、透析器２と２つの透析液チャンバ２１、２２の透析液回収室２１ｂ、２２ｂとの間は使用済みの透析液を流通させる透析液回収通路２４で接続してある。
【００１１】
上記２つの透析液チャンバ２１、２２の供給室２１ａ、２２ａには給液回路２５が接続されており、該給液回路２５は、浄水を供給する図示しない浄水供給手段に連通された水供給通路２６と、それぞれ上記Ａ液タンク５ＡとＢ液タンク５Ｂとに連通された透析液原液通路２７Ａ、２７Ｂとを備えている。そして該給液回路２５の下流側は２方向に分岐して上記供給室２１ａ、２２ａに接続されており、分岐した通路にはそれぞれ制御手段の制御によって開閉される給液弁Ｖ５ａ、Ｖ７ａが設けられている。
これにより、上記供給室２１ａ、２２ａの内部で水と透析液の原液とを混合させて透析液を調製することができるようになっている。
一方、上記透析液回収室２１ｂ、２２ｂには、図示しない排液タンク等に使用済み透析液を排出させる透析液廃液通路２９が接続され、上記透析液廃液通路２９は、その上流部分が２方向に分岐して各透析液回収室２１ｂ、２２ｂに接続され、当該分岐部分にはそれぞれ制御手段の制御によって開閉される排液弁Ｖ６ｂ、Ｖ８ｂが設けられている。
【００１２】
上記透析液供給通路２３の上流部分は、２方向に分岐してそれぞれ上記第１、第２透析液チャンバ２１、２２の供給室２１ａ、２２ａに接続されており、各分岐部分にはそれぞれ制御手段の制御によって開閉される供給弁Ｖ５ｂ、Ｖ７ｂが設けられている。
また透析液供給通路２３の下流部分はコネクタ２３ｃを介して上記透析器２に接続可能となっており、透析液回路４を洗浄する際には透析器２から離脱されるようになっている。
さらに透析液供給通路２３には、透析液の有害成分を除去する濾過器ＣＦ１と、上記制御手段の制御によって開閉される開閉弁Ｖ９ｂと開閉弁Ｖ３６ｃとが直列に設けられ、また透析液回収通路２４にも上記制御手段の制御によって開閉される開閉弁Ｖ１９が設けられている。
【００１３】
上記開閉弁Ｖ９ｂ、Ｖ３６ｃよりも上流側の透析液供給通路２３と上記開閉弁Ｖ１９よりも下流側の透析液回収通路２４とを連通させるバイパス通路３１が設けられ、該バイパス通路３１には開閉弁Ｖ９ａが設けられている。
透析治療中、上記開閉弁Ｖ９ｂ、Ｖ３６ｃ、Ｖ１９は開放されるとともに上記開閉弁Ｖ９ａは閉鎖されているが、例えば図示しない濃度センサによって濃度の不良が検出された場合には、上記開閉弁Ｖ９ｂ、Ｖ３６ｃ、Ｖ１９を閉鎖して開閉弁Ｖ９ａを開放することにより、不良透析液を透析器２を通過させずに、バイパス通路３１を介して透析液回収通路２４へと送液することが可能となっている。
【００１４】
上記濾過器ＣＦ１は、図１に簡略化して示してあるように、長手方向を上下に配置されて内部に濾過材５１を収容した筒状のハウジング５２と、ハウジング５２の下部に設けられて内部に透析液を導入する導入口５３と、該導入口５３から導入された透析液のうち上記濾過材５１を通過した濾過透析液をハウジング５２の上部から導出する濾過液導出口５４と、上記導入口５３から導入された透析液のうち上記濾過材５１を通過しない未濾過液をハウジング５１の上部から導出する未濾過液導出口５５とを備えている。
上記濾過材５１は一般的には多数の中空糸膜を束ねて構成されており、本実施例では上記導入口５３から流入した透析液は束ねられた中空糸膜の外側と筒状のハウジング５２との間に導入され、各中空糸膜をその外部から内部に通過することによって濾過されるようになっている。つまり本実施例では、束ねられた中空糸膜の外側と筒状のハウジング５２との間が一次側、すなわち濾過器ＣＦ１内に設けられた濾過材５１を通過しない未濾過領域Ａ側となっており、各中空糸膜の内側が二次側すなわち濾過領域Ｂ側となっている。
【００１５】
上記透析液供給通路２３のうち、上記濾過器ＣＦ１の導入口５３に接続されて上記ハウジング５２内に透析液を流入させる通路が上流側通路２３ａを構成しており、また上記濾過器ＣＦ１の濾過液導出口５４に接続されて上記ハウジング５２内から濾過透析液を流出させる通路が下流側通路２３ｂを構成している。
さらに、上記未濾過液導出口５５に、上記ハウジング５２内から未濾過液を排液させる排液通路５７を接続してあり、この排液通路５７は上記開閉弁Ｖ９ａよりも下流側のバイパス通路３１に接続してある。そして該排液通路５７に開閉弁Ｖ９ｃを設けてある。
【００１６】
上述した透析液回収通路２４の下流部分は２方向に分岐してそれぞれ上記第１、第２透析液チャンバ２１、２２の透析液回収室２１ｂ、２２ｂに接続され、この分岐部分にはそれぞれ制御手段の制御によって開閉される回収弁Ｖ６ａ、Ｖ８ａが設けられている。
一方、透析液回収通路２４の上流部分はコネクタ２４ｃを介して上記透析器２に接続可能となっており、透析液回路４を洗浄する際には透析器２から離脱されるとともに、上記透析液供給通路２３のコネクタ２３ｃと接続されるようになっている。
また透析液回収通路２４には透析液を送液する透析液ポンプＰ２と除気槽ＡＳとが直列に設けられている。
【００１７】
本実施例では、上記濾過器ＣＦ１の下流側に２段目の濾過器ＣＦ２を設けてあり、透析治療中に上記濾過器ＣＦ１と該濾過器ＣＦ２とを２段に通過させた透析液を血液中に補液することができるようにしてある。
上記濾過器ＣＦ２は前述した濾過器ＣＦ１と同一構成を有しているので、濾過器ＣＦ１と同一部分には同一の符号に’を付してその説明を省略する。
上記濾過器ＣＦ２の導入口５３’に接続した上流側通路２３ａ’は、透析液供給通路２３に直列に設けた開閉弁Ｖ９ｂと開閉弁Ｖ３６ｃとの間で該透析液供給通路２３に接続してあり、この上流側通路２３ａ’から導入口５３’を介して濾過器ＣＦ２のハウジング５２’内に透析液を流入させることができるようにしてある。
また濾過器ＣＦ２の濾過液導出口５４’に接続した下流側通路２３ｂ’は、補液ポンプＳＦＰを介して上記動脈側通路１１に設けたドリップチャンバー６１に接続してあり、上記補液ポンプＳＦＰの起動時に濾過器ＣＦ２のハウジング５２’内から下流側通路２３ｂ’を介して濾過透析液を血液回路３に補液できるようにしてある。
さらに、上記濾過器ＣＦ２の未濾過液導出口５５’に未濾過液を排液させる排液通路５７’を接続してあり、この排液通路５７’を上記開閉弁Ｖ９ａよりも下流側のバイパス通路３１に接続するとともに、該排液通路５７’に開閉弁Ｖ９ｃ’を設けてある。
【００１８】
血液透析が行われる際には、上記第１、第２透析液チャンバ２１、２２のいずれか一方の透析液供給室、例えば第１透析液チャンバ２１の透析液供給室２１ａで新鮮な透析液が調製される。この際には、水供給通路２６に設けた開閉弁Ｖ１が開かれており、また供給弁Ｖ５ｂが閉じられるとともに給液弁Ｖ５ａが開かれている。そしてこの状態で給液ポンプＰ１が起動されて浄水が水供給通路２６を介して透析液供給室２１ａに供給される。
またポンプＰ３が起動されてＡ液タンク５Ａ内のＡ液が原液通路２７Ａを介して上記透析液供給室２１ａに供給され、さらにポンプＰ４が起動されてＢ液タンク５Ｂ内のＢ液が原液通路２７Ｂを介して上記透析液供給室２１ａに供給される。
上記各ポンプＰ１、Ｐ３、Ｐ４のそれぞれの作動のタイミングは制御手段によって制御され、それによって供給室２１ａの内部で水と透析液の原液とが混合されて新鮮な透析液が調製されるようになる。
この際には、排液弁Ｖ６ｂが開放されるとともに回収弁Ｖ６ａが閉鎖されており、また排液通路２９の開閉弁Ｖ３５が開放されている。そして上記各ポンプＰ１、Ｐ３、Ｐ４が作動されて供給室２１ａの内部に液体が導入されるとその導入に伴って第１透析液チャンバ２１内を区画する隔壁が移動され、これにより既に透析液回収室２１ｂ内に回収されていた使用済みの透析液が排液通路２９を介して同量だけ外部に排出されるようになる。
【００１９】
上記第１透析液チャンバ２１によって透析液が調製されている際には、第２透析液チャンバ２２の供給室２２ａの透析液は、透析液回収通路２４に設けた透析液ポンプＰ２の起動により、濾過器ＣＦ１を流通して透析液供給通路２３を介して透析器２に供給されている。この際には、弁Ｖ７ｂ、Ｖ９ｂ、Ｖ３６ｃ、Ｖ１９及びＶ８ａは開放されており、その他の弁は閉鎖されている。さらに補液ポンプＳＦＰは停止されている。
これにより、上記供給室２２ａの容積減少によって該供給室２２ａから新鮮な透析液が上記透析器２に供給されるのと同時に、これに連動した他方の透析液回収室２２ｂの容積増大により、上記透析器２に供給されたのと同量の使用済み透析液が回収されるようになっている。
【００２０】
ところで、上記透析液回収通路２４の下流部分と排液通路２９との間には両者を接続する除水通路３５を設けてあり、この除水通路３５に、透析液回収通路２４を流通する使用済み透析液を所要の除水量だけ排液通路２９に排出する除水手段としての除水ポンプＵＦＰを設けてある。この除水ポンプＵＦＰによって、透析中に、上記除水量に相当する量の老廃物を血液中から排出させることが可能となっている。
【００２１】
また、上述した透析治療中に透析液を血液中に補液する必要が生じた際には、開閉弁Ｖ３６ｃが閉じられて透析器２への透析液の供給が停止されるとともに透析液ポンプＰ２及び除水ポンプＵＦＰの運転が停止され、他方、補液ポンプＳＦＰが起動される。
これにより透析液供給通路２３からの透析液は濾過器ＣＦ２の導入口５３’に接続した上流側通路２３ａ’からハウジング５２’内に流入し、濾過器ＣＦ２の濾過材５１’を通過して濾過された透析液は下流側通路２３ｂ’を介してドリップチャンバー６１から血液回路３に補液されるようになる。
【００２２】
然して、本実施例においては、上記第１段目の濾過器ＣＦ１を透析液回路４から取り外す際に、該濾過器ＣＦ１内からその内部に残存している液体を吸引排出するための液体吸引手段６４Ａと、その際に該濾過器ＣＦ１内に気体を流入させる気体流入手段６５とを設けてある。
上記液体吸引手段６４Ａは、２つの透析液チャンバ２１、２２と給水ポンプＰ１とをその構成要素として利用することができるようにしてあり、そのために図２の太線で示すように、開閉弁Ｖ３５よりも上流側の透析液排液通路２９と、開閉弁Ｖ１よりも下流側で給水ポンプＰ１よりも上流側の水供給通路２６とを第１連通路６７で連通させるとともに、該連通路６７に開閉弁Ｖ３４を設けている。また、給水ポンプＰ１よりも下流側の水供給通路２６と上記開閉弁Ｖ３５よりも下流側の透析液排液通路２９とを第２連通路６８で連通させるとともに、該連通路６８に開閉弁Ｖ３３を設けている。
他方、上記気体流入手段６５は、上記開閉弁Ｖ９ａよりも上流側のバイパス通路３１に接続した気体通路７０を備えており、この気体通路７０に、バイパス通路３１側から順に開閉弁Ｖ２３、逆止弁ＣＡおよびエアフィルタＡＦを設けてある。上記逆止弁ＣＡは、エアフィルタＡＦ側から開閉弁Ｖ２３側への気体の流通のみを許容するようになっている。
【００２３】
上記透析液回路４から濾過器ＣＦ１を取り外す際には、該濾過器ＣＦ１内には、透析治療の終了直後では透析液が、洗浄後ではすすぎ水が残留しており、本実施例ではそれらの液体をできるだけ外部に排出させることができるようになっている。
この際には、先ず上記給液弁Ｖ５ａ、Ｖ７ａと排液弁Ｖ６ｂ、Ｖ８ｂとを閉じ、供給弁Ｖ５ｂ、Ｖ７ｂと回収弁Ｖ６ａ、Ｖ８ａとを開いた状態で透析液ポンプＰ２を起動させることにより、透析液供給室２１ａ、２２ａに収容されている液体を透析液回収室２１ｂ、２２ｂに送液し、２つの透析液チャンバ２１、２２の隔壁を共に右方に移動された状態とする。
この状態となったら、図２の太線で示された回路上の弁が開放されるとともに、その他の弁が閉鎖される。そして給液ポンプＰ１が起動されると、各透析液チャンバ２１、２２の透析液回収室２１ｂ、２２ｂ内の液体は、開閉弁Ｖ３５よりも上流側の透析液排液通路２９、第１連通路６７、水供給通路２６、給液ポンプＰ１、第２連通路６８、開閉弁Ｖ３５よりも下流側の透析液排液通路２９を介して外部に排出されるようになる。
【００２４】
各透析液回収室２１ｂ、２２ｂ内の液体が外部に排出されて隔壁が移動されると、それに伴って各透析液チャンバ２１、２２の透析液供給室２１ａ、２２ａ内の容積が増大するようになり、濾過器ＣＦ１のハウジング５２内における未濾過領域Ａ内（束ねられた中空糸膜の外側とハウジング５２の間の空間内）の液体は、ハウジング５２の下部に設けられた導入口５３およびこれに接続した透析液供給通路２３の上流側通路２３ａを介して透析液供給室２１ａ、２２ａ内に吸引されるようになる。
これにより上記未濾過領域Ａ内の液体の水位が低下すると、気体流入手段６５を構成する気体通路７０のエアフィルタＡＦ、逆止弁ＣＡ、開閉弁Ｖ２３を介して気体（空気）がバイパス通路３１に導入され、ここから２つに分岐されて、一方は排液通路５７および未濾過液導出口５５を介してハウジング５２内における未濾過領域Ａ内の上部に供給され、他方は透析液供給通路２３の下流側通路２３ｂおよび濾過液導出口５４を介してハウジング５２内における濾過領域Ｂ内（各中空糸膜の内側）の上部に供給される。
これにより、ハウジング５２内の未濾過領域Ａ内に残留していた液体はそのまま透析液供給室２１ａ、２２ａ内に吸引されるようになり、またハウジング５２内の濾過領域Ｂ内に残留していた液体は、気体の流入に伴って濾過材５１（中空糸膜）を通過して透析液供給室２１ａ、２２ａ内に吸引されるようになる。
なお、濾過材５１は気体を通過させないため、濾過領域Ｂから液体が吸引されなくなると、下流側通路２３ｂを介した気体の流通はなくなる。
【００２５】
上記透析液供給通路２３の上流側通路２３ａには液体の流通を検出するフローセンサＦＳを設けてあり、ハウジング５２内の液体の実質的に全量が該ハウジング５２内から排出されて液体の流通が上記フローセンサＦＳによって検出されなくなると、給液ポンプＰ１の運転が停止される。
この後、透析液回路４から濾過器ＣＦ１を取り外し、新たな濾過器ＣＦ１を取り付ければよい。
なお、フローセンサに代えて気体を検出するセンサを設けて、上流側通路２３ａを気体が流通することを検出して給液ポンプＰ１を停止するようにすることもできる。
【００２６】
また本実施例においては、上記第２段目の濾過器ＣＦ２を透析液回路４から取り外す際においても、該濾過器ＣＦ２内からその内部に残存している液体を吸引排出する液体吸引手段６４Ｂを設けている。その際に該濾過器ＣＦ２内に気体を流入させる気体流入手段は、上述した気体流入手段６５を利用している。
第２段目の濾過器ＣＦ２のための液体吸引手段６４Ｂは、透析液ポンプＰ２をその構成要素として利用することができるようにしてあり、そのために図３の太線で示すように補液ポンプＳＦＰよりも上流側の下流側通路２３ｂ’と上記バイパス通路３１の開閉弁Ｖ９ａよりも下流側とを第３連通路７３で接続し、この第３連通路７３に開閉弁Ｖ３６ｂを設けてある。
また、上記除気槽ＡＳと上記開閉弁Ｖ３５よりも上流側の透析液排液通路２９とを第４連通路７４で連通させるとともに、該連通路７４に開閉弁Ｖ４を設けている。上記除気槽ＡＳは従来周知のフロートタイプの除気槽で、該除気槽ＡＳ内を介して液体を第４連通路７４に流通させることができるようになっている。
【００２７】
上記透析液回路４から濾過器ＣＦ２を取り外す際には、図３の太線で示された回路上の弁が開放されるとともに、その他の弁が閉鎖される。そして透析液ポンプＰ２が起動されると、濾過器ＣＦ２のハウジング５２’内における濾過領域Ｂ’内（各中空糸膜の内側）の液体は、ハウジング５２’の上部に設けられた濾過液導出口５４’、下流側通路２３ｂ’、第３連通路７３、バイパス通路３１、透析液回収通路２４、透析液ポンプＰ２、除気槽ＡＳ、第４連通路７４および排液通路２９を介して外部に吸引排出されるようになる。
濾過領域Ｂ’内の液体が排出されてその内部が負圧となると、未濾過領域Ａ’内の液体が濾過材５１’（中空糸膜）を通過して濾過領域Ｂ’内に流入するようになり、これに伴って気体は、気体流入手段６５を構成する気体通路７０のエアフィルタＡＦ、逆止弁ＣＡ、開閉弁Ｖ２３を介してバイパス通路３１に導入され、さらに透析液供給通路２３および上流側通路２３ａ’を介してハウジング５２’内における未濾過領域Ａ’内（束ねられた中空糸膜の外側とハウジング５２’の間の空間内）に供給される。
未濾過領域Ａ’内に供給された気体は未濾過領域Ａ’内の上部に浮上するようになるが、気体は濾過材５１’を通過することができないので、濾過領域Ｂ’内に流入することはなく、液体だけが未濾過領域Ａ’から濾過領域Ｂ’へ流動し、流動する液体がなくなると、濾過領域Ｂ’から液体は排出されなくなって負圧の度合いが高まってゆく。
【００２８】
上記透析液ポンプＰ２よりも上流側の透析液回収通路２４には圧力検出手段ＰＤを設けてあり、透析液回収通路２４内の圧力が、したがって上記濾過領域Ｂ’内の圧力が所定値以下となったら、透析液ポンプＰ２の運転が停止される。
この後、透析液回路４から濾過器ＣＦ２を取り外し、新たな濾過器ＣＦ２が取り付けられる。この際には濾過領域Ｂ’内には液体が残留しているが、未濾過領域Ａ’内の液体はその大部分が濾過領域Ｂ’内に吸い出されるので、未濾過領域Ａ’内の液体の大部分をハウジング５２’の外部に排出することができる。一般に濾過材として中空糸膜が用いられている場合には、各中空糸膜の内部の容積の合計は５０ｃｃ程度であるのに対し、束ねられた中空糸膜の外側のハウジングとの間の容積は１５０ｃｃ程度であるので、中空糸膜の外側の液体を排出すると濾過器の多くの残留液を外部に排出させることが可能となる。
なお、この濾過器ＣＦ２に気体流入手段６５から気体を供給する際には、透析液供給通路２３および上流側通路２３ａ’を介して導入口５３’からハウジング５２’内の未濾過領域Ａ’に供給するようにしているが、排液通路５７’を介して未濾過液導出口５５’から未濾過領域Ａ’に気体を供給することもできる。すなわち、バイパス通路３１における排液通路５７’の接続位置と第３連通路７３の接続位置の間を閉鎖する開閉弁を新たに設け、透析液供給通路２３の開閉弁Ｖ９ｂは閉じて、バイパス通路３１の開閉弁Ｖ９ａと排液通路５７’の開閉弁Ｖ９ｃ’を開放する。これにより、気体流入手段６５を構成する気体通路７０のエアフィルタＡＦ、逆止弁ＣＡ、開閉弁２３を介してバイパス通路３１に導入される気体を、排液通路５７’を介して未濾過領域Ａ’に供給することができる。
【００２９】
なお、本実施例では上記濾過器ＣＦ１を取り外す際に、気体を未濾過領域Ａ内の上部と濾過領域Ｂ内の上部との両方に供給するようにしているが、少なくともいずれか一方に供給すれば、濾過器ＣＦ１内の液体の少なくとも一部を外部に排出させることができる。
例えば気体を未濾過領域Ａ内の上部のみに供給した場合には、その未濾過領域Ａ内の液体の全量を外部に排出させることができる。他方、気体を濾過領域Ｂ内の上部のみに供給した場合には、濾過領域Ｂ内の液体の全量と、未濾過領域Ａ内の負圧が所定圧となるまで該未濾過領域Ａ内の液体を外部に排出させることができる。
また、上記実施例では２つの透析液チャンバ２１、２２を利用して濾過器ＣＦ１内の液体を外部に排出させるようにしているが、透析液チャンバ２１、２２の容量が大きい場合には、いずれか一方の透析液チャンバのみを作動させて濾過器ＣＦ１内の液体を外部に排出させることも可能である。
【００３０】
図４は本発明の第２実施例を示したもので、上記第１実施例が濾過器ＣＦ１からの液抜き作業と濾過器ＣＦ２からの液抜き作業とを別個の工程で行うようにしているのに対し、本実施例では１回の液抜き作業により２つの濾過器ＣＦ１、ＣＦ２から同時に液体を抜くことができるように構成したものである。
本実施例においては、濾過器ＣＦ１に対する透析液回路４の構成は第１実施例と同一に構成してあるが、濾過器ＣＦ２に対する回路構成は第１実施例とは異ならせてある。なお、本実施例では上記第１実施例とは異なり、濾過材５１、５１’である各中空糸膜の内側が一次側すなわち未濾過領域Ａ、Ａ’となっており、束ねられた中空糸膜の外側のハウジングとの間が二次側すなわち濾過領域Ｂ、Ｂ’となっている。
すなわち、濾過器ＣＦ２の導入口５３’に接続した上流側通路２３ａ’は透析液供給通路２３に設けた開閉弁Ｖ９ｂの下流側で透析液供給通路２３に接続してある。
他方、濾過器ＣＦ２の濾過液導出口５４’に接続した下流側通路２３ｂ’は、透析液供給通路２３に設けた開閉弁Ｖ３６ｃの上流側で該透析液供給通路２３に接続するとともに、分岐して補液ポンプＳＦＰを介して上記動脈側通路１１に設けたドリップチャンバー６１に接続してある。
これにより、開閉弁Ｖ３６ｃを閉じて上記補液ポンプＳＦＰを起動した際には、濾過器ＣＦ２のハウジング５２’の濾過領域Ｂ’内から、下流側通路２３ｂ’およびドリップチャンバー６１を介して濾過透析液を血液回路３に補液できるようにしてある。さらに、Ｖ９ｂより上流側の透析液供給通路２３と、ドリップチャンバー６１への分岐点までの下流側通路２３ｂ’とを、第５連通路７５で接続して開閉弁Ｖ７０を設けている。
【００３１】
また本実施例においては、２つの濾過器ＣＦ１、ＣＦ２のそれぞれの未濾過液導出口５５、５５’からハウジング５２、５２’内の液体を吸引排出するとともに、濾過液導出口５４、５４’から気体を供給できるようにしており、そのために本実施例における液体吸引手段６４Ｂ’は、基本的に第１実施例の液体吸引手段６４Ｂの構成を利用している。
すなわち本実施例の液体吸引手段６４Ｂ’は、濾過器ＣＦ１の未濾過液導出口５５に接続された排液通路５７と、濾過器ＣＦ２の未濾過液導出口５５’に接続された排液通路５７’とを備えており、上記液体吸引手段６４Ｂと同様に、透析液ポンプＰ２を起動した際には、それら排液通路５７、５７’から、バイパス通路３１、透析液回収通路２４、透析液ポンプＰ２、除気槽ＡＳ、第４連通路７４および排液通路２９を介して外部に吸引排出させることができるようになっている。
なお本実施例においては、第１実施例の液体吸引手段６４Ｂを構成する第３通路７３とこれに設けた開閉弁Ｖ３６ｂは省略してある。
【００３２】
他方、２つの濾過器ＣＦ１、ＣＦ２の濾過液導出口５４、５４’に気体を供給する気体流入手段６５’は第１実施例の気体流入手段６５と同様な構成を有しているが、透析液回路４に設けた各開閉弁の開閉作動を異ならせることにより、上述したように各濾過器ＣＦ１、ＣＦ２の濾過液導出口５４、５４’に気体を供給できるようにしてある。
上記第２実施例においては、上述した説明以外の部分は第１実施例と同様に構成してあり、第１実施例と同等な箇所に第１実施例と同一の符号を付して示してある。
【００３３】
上記第２実施例において、透析液回路４から濾過器ＣＦ１、ＣＦ２を取り外す際には、図４の太線で示された回路上の弁が開放されるとともに、その他の弁が閉鎖される。そして透析液ポンプＰ２が起動されると、濾過器ＣＦ１のハウジング５２内における未濾過領域Ａ内の液体は、ハウジング５２の上部に設けられた未濾過液導出口５５、排液通路５７、バイパス通路３１、透析液回収通路２４、透析液ポンプＰ２、除気槽ＡＳ、第４連通路７４および排液通路２９を介して外部に吸引排出されるようになる。
これと同時に、濾過器ＣＦ２のハウジング５２’内における未濾過領域Ａ’内の液体は、ハウジング５２’の上部に設けられた未濾過液導出口５５’、排液通路５７’、バイパス通路３１、透析液回収通路２４、透析液ポンプＰ２、除気槽ＡＳ、第４連通路７４および排液通路２９を介して外部に吸引排出されるようになる。
【００３４】
未濾過領域Ａ、Ａ’内（各中空糸膜の内側）の液体が未濾過液導出口５５、５５’から排出されてその内部が負圧となると、濾過領域Ｂ、Ｂ’内（束ねられた中空糸膜の外側のハウジング５２、５２’との間の空間）の液体がそれぞれ濾過材５１、５１’（中空糸膜）を通過して未濾過領域Ａ、Ａ’に流入するようになる。これに伴って濾過領域Ｂ、Ｂ’内の液体の水位が低下すると、気体流入手段６５’を構成する気体通路７０のエアフィルタＡＦ、逆止弁ＣＡ、開閉弁Ｖ２３を介して気体（空気）がバイパス通路３１に導入され、透析液供給通路２３で２方に分岐される。
分岐された一方の気体は、透析液供給通路２３の下流側通路２３ｂから濾過器ＣＦ１の濾過液導出口５４を介して濾過領域Ｂ内に供給され、分岐された他方の気体は透析液供給通路２３から第５連通路７５、下流側通路２３ｂ’を介して濾過器ＣＦ２の濾過液導出口５４’から濾過領域Ｂ’内に供給される。
【００３５】
前述したように、上記透析液ポンプＰ２よりも上流側の透析液回収通路２４には圧力検出手段ＰＤを設けてあり、濾過領域Ｂ、Ｂ’から未濾過領域Ａ、Ａ’へ流動する液体がなくなると、未濾過領域Ａ、Ａ’から液体が排出されなくなり負圧の度合いが高まってゆく。上記未濾過領域Ａ、Ａ’内の圧力が所定値以下となったら、透析液ポンプＰ２の運転が停止される。
この後、透析液回路４から濾過器ＣＦ１、ＣＦ２を取り外し、新たな濾過器ＣＦ１、ＣＦ２が取り付けられる。この際には未濾過領域Ａ、Ａ’内（各中空糸膜内）には液体が残留しているが、濾過領域Ｂ、Ｂ’内の液体はその大部分が未濾過領域Ａ、Ａ’内に吸い出されているので、濾過領域Ｂ、Ｂ’内の液体の大部分をハウジング５２、５２’の外部に排出することができる。
【００３６】
なお、上記第２実施例においては、２つの濾過器ＣＦ１、ＣＦ２から同時に液体を排出させるようにしているが、別工程で１つの濾過器ごとに液体を排出させるようにしても良い。またこの場合には、透析液回路４に上記液体吸引手段６４Ａを設ければ、該液体吸引手段６４Ａによって濾過器ＣＦ１から液体を排出させることができる。
また、束ねられた中空糸膜の外側のハウジング５２、５２’との間の空間は、水位が低下すると上部から液体を吸引することができなくなるため、本第２実施例は各中空糸膜の内側を一次側すなわち未濾過領域Ａ、Ａ’とする濾過器の場合に有効である。
【符号の説明】
【００３７】
１  人工透析装置                        ２  透析器
４  透析液回路                          １５透析液供給手段
１６  透析液回収手段                    ２３  透析液供給通路
２３ａ、２３ａ’  上流側通路            ２３ｂ、２３ｂ’  下流側通路
２４  透析液回収通路                    ５１、５１’  濾過材
５２、５２’  ハウジング                ５３、５３’  導入口
５４、５４’  濾過液導出口              ５５、５５’  未濾過液導出口
６４Ａ、６４Ａ’、６４Ｂ  液体吸引手段  ６５、６５’  気体流入手段
Ａ、Ａ’  未濾過領域                    ＡＳ  除気槽
Ｂ、Ｂ’  濾過領域                      ＣＦ１、ＣＦ２  濾過器
Ｐ１  給液ポンプ  Ｐ２  透析液ポンプ
【図１】
0006388118.tif 000002
【図２】
0006388118.tif 000003
【図３】
0006388118.tif 000004
【図４】
0006388118.tif 000005